(57)【要約】【課題】コンパクトながら高い照度の照明部が組み込まれた天井パネルを提供する。【解決手段】天井パネル１はパネル本体２を有し、パネル本体２は、例えば空調用のパイプ５が嵌まるパイプ保持部４を有しており、下面には放熱リブ１０を設けている。パネル本体２に下向き開口溝９が形成されており、この下向き開口溝９に照明ユニット１２が装着されている。照明ユニット１２は透光カバー１５とその上端にセットされた基板１４とを有しており、基板１４の下面に多数のＬＥＤ１３が飛び飛びで実装らされている。透光カバー１５は弾性変形を利用して下向き開口溝９に取り付けられ、取り付け状態で基板１４はパネル本体２に密着している。照明部はライン状光源を有するため、高い照度を確保できる。【選択図】図３
2015021645.tif 000002
【特許請求の範囲】
【請求項１】
金属製又は樹脂製のパネル本体の下面部に、帯板状の基板に発光素子が搭載されたライン状光源を、発生した熱が前記天井パネルに放熱されるようにして取り付けている、
照明機能付き天井パネル。
【請求項２】
前記発光素子はＬＥＤである、
請求項１に記載した天井パネル。
【請求項３】
前記パネル本体の上面又は下面に冷暖房用の流体が流れるパイプを取り付けて輻射空調機能を備えている、
請求項１又は２に記載した天井パネル。
【請求項４】
前記パネル本体は平面視矩形であってその平行な２辺と平行に延びる下向き開口溝が形成されており、前記下向き開口溝の上底面に前記ライン状光源を取り付け、前記下向き開口溝を透光カバーで塞いでいる、
請求項１〜２のうちのいずれかに記載した天井パネル。
【請求項５】
前記カバーは前記下向き開口溝の左右内側に位置した左右の側板を有しており、前記左右側板の上端部に形成した保持部に前記基板を装着しており、前記カバーの側板と前記下向き開口溝の内側面とに、前記側板の弾性変形によって互いに嵌合する係合部を設けている、
請求項４に記載した天井パネル。
【請求項６】
前記パネル本体の下面には下向きに突出したリブを設けている一方、前記下向き開口溝は前記リブの付け根から上側に凹んだ状態に形成されており、前記カバーの下端を前記リブの下端と略同じ程度に位置させている、
請求項４又は５に記載した天井パネル。
【請求項７】
前記パネル本体は金属製である一方、前記基板には、前記発光素子を経由して直流電流が流れるアース部を設けており、前記アース部を前記パネル本体に電気的に導通させている、
請求項１〜６のうちのいずれかに記載した天井パネル。
【発明の詳細な説明】
【技術分野】
【０００１】
本願発明は照明機能が組み込まれた天井パネルに関するものであり、流体が流れるパイプを備えて輻射空調機能を有する天井パネルを好適な対象にしている。
【背景技術】
【０００２】
天井パネルを金属のような良熱伝導体で構成してこれに熱媒体が通るパイプを設けたものは良く知られており、本願出願人は、特許文献１において、空調用天井パネル（放射パネル）にＬＥＤを配置して照明機能を持たせることを提案した。同様のものは、特許文献２，３にも開示されている。
【先行技術文献】
【特許文献】
【０００３】
【特許文献１】特開２０１０−１０１６０３号公報
【特許文献２】特開２０１０−２６２７４３号公報
【特許文献３】特開２０１０−２７７８３４号公報
【発明の概要】
【発明が解決しようとする課題】
【０００４】
蛍光灯方式の照明装置は安定器やホルダーがセットになっていて板金製の筐体に組み込まれており、相当の大きさである。このため、放射パネルの下面に取り付けると下方に大きく出っ張るため見栄えが悪い問題があるが、ＬＥＤは小さくて狭い部位に配置できるため、各特許文献の構成を採用すると、見栄えの悪化を招来することなく放射パネルに照明機能を保持せしめることができる利点がある。従って、意匠的なメリットは非常に大きいと云える。
【０００５】
また、蛍光灯方式の照明装置はかなりの大きさがあるため、放射パネルの下面に取り付けると放射面が広い範囲にわたって塞がれて、空調効率が著しく低下すると共に空調も不均一になる問題があるが、ＬＥＤは小さいため、各特許文献の構成を採用すると、空調効率の大幅な低下や不均一化を招来することなく放射パネルに照明機能を持たせることができる。更に、ＬＥＤが発熱しても熱は放射パネルに吸収されるため、ＬＥＤの耐久性を向上できる利点もある。
【０００６】
しかし、本願発明者たちが実用化のために更に検討したところ、改善の余地があることが判明した。すなわち、各特許文献では１つのＬＥＤランプを分離した状態で放射パネルに取り付けているが、室内を照明するためには相当数のＬＥＤが必要であるため、ＬＥＤランプの取り付け作業に手間がかかる問題や、ＬＥＤは剥き出しの状態で配置しているため、人が天井を見上げると個々のＬＥンプの光が目に入って違和感を与えるおそれがある問題などが判明した。
【０００７】
本願発明はこのような現状に鑑み成されたものであり、放射パネル等の天井板に照明機能を保持させるにおいて、より改善された状態で提供せんとするものである。
【課題を解決するための手段】
【０００８】
本願発明は層的な広がりと面的な広がりを持っており、典型的な構成を請求項１〜６として特定している。このうち請求項１の発明は上位概念を成すもので、金属製又は樹脂製のパネル本体の下面部に、帯板状の基板に発光素子が搭載されたライン状光源を、発生した熱が前記天井パネルに放熱されるようにして取り付けている。請求項２では、発光素子としてＬＥＤを使用している。
【０００９】
請求項３の発明は請求項１又は２を具体化したもので、この発明では、前記パネル本体の上面又は下面に冷暖房用の流体が流れるパイプを取り付けて輻射空調機能を備えている。請求項４の発明は、請求項１〜３のうちのいずれにおいて、前記パネル本体は平面視矩形であってその平行な２辺と平行に延びる下向き開口溝が形成されており、前記下向き開口溝の上底面に前記ライン状光源を取り付け、前記下向き開口溝を透光カバーで塞いでいる。
【００１０】
請求項５の発明は、請求項４において、前記カバーは前記下向き開口溝の左右内側に位置した左右の側板を有しており、前記左右側板の上端部に形成した保持部に前記基板を装着しており、前記カバーの側板と前記下向き開口溝の内側面とに、前記側板の弾性変形によって互いに嵌合する係合部を設けている。
【００１１】
請求項６の発明は、請求項４又は５において、前記パネル本体の下面には下向きに突出したリブを設けている一方、前記下向き開口溝は前記リブの付け根から上側に凹んだ状態に形成されており、前記カバーの下端を前記リブの下端と略同じ程度に位置させている。
【００１２】
請求項７の発明は、請求項１〜６のいずれかにおいて、前記パネル本体は金属製である一方、前記基板には、前記発光素子を経由して直流電流が流れるアース部を設けており、前記アース部を前記パネル本体に電気的に導通させている。
【発明の効果】
【００１３】
本願発明では、帯板状の基板を備えたライン状光源が１つのユニットになっているため、１つのライン状光源をパネル本体に取り付けるだけで高い照度を確保できる。従って、室内等の空間を的確に照明できる照度を確保しつつ、組み立て作業を簡単に行える。発光素子としては例えば有機ＥＬも使用できるが、請求項２のようにＬＥＤ（発光ダイオード）を使用すると、照度と信頼性とに優れている利点がある。
【００１４】
また、本願発明は単なる天井パネルに使用することも可能であるが、請求項３のように空調機能を有する放射パネルに適用すると、放熱性が的確になって好適である。
【００１５】
また、本願発明のパネル本体は単純なフラットな構造でもよいが、請求項４のように下向き開口溝を設けてこの下向き開口溝にライン状光源を配置すると、下向き開口溝が光の拡散範囲を規定する傘の役割を果たすため、照射効率を向上できると共に意匠的にも違和感がないもおとすることができる。また、請求項４は透光カバーを有するため、光を拡散させたり柔らかくしたりすることができて好適である。従って、透光カバーは、乳白色のように光は透過しつつＬＥＤができるだけ透けて見えないものが好ましい。
【００１６】
請求項４の場合は、ライン状光源は例えばビスで固定したり両面テープで固定したりすることが可能であるが、請求項５の構成を採用すると、ライン状光源は透光カバーの上端に装着されているためライン状光源をパネル本体に取り付ける作業が不要になるのみならず、透光カバーは溝に差し込むことでワンタッチ的に取り付けできるため、天井パネルの組み立て作業がごく簡単になる。
【００１７】
更に、透光カバーを下向き開口溝に取り付けた状態で基板が下向き開口溝の上底面に当接するように設定しておくことにより（透光カバーの弾性を利用して基板をパネル本体に押し当てることにより）、発光素子の放熱性もより確実化できる。また、透光カバーは光の照射角度を規制する役割を持つため、その形状を工夫することで、適切な照射角度を得ることができる利点もある。なお、透光カバーにライン状光源を保持させることは、天井パネルに溝が存在しない場合にも適用できる。
【００１８】
請求項６のようにパネル本体にリブを設けると、放射パネルに適用した場合に空調効率を向上できる利点があるが、透光カバーの下端とリブの下端とが概ね揃っているため、違和感を無くして見栄えを良くすることができる。
【００１９】
ＬＥＤにしても有機ＥＬにしても発光素子の電源には直流電流が使用されていることが殆どであり、この場合、発光素子は電流をアースさせることで点灯できるが、１つのライン状光源にアース部は１つ又は少数で足りるため、請求項７の構成を採用すると、配線を簡単化できる。
【図面の簡単な説明】
【００２０】
【図１】実施形態の天井パネルで構成された天井を下方から仰ぎ見た状態での模式的な一部破断斜視図である。
【図２】第１実施形態に係る（Ａ）は天井パネル（パネルユニット）の平面図、（Ｂ）は（Ａ）の右側面図である。
【図３】（Ａ）は図２（Ａ）のIIIA-IIIA 視断面図、（Ｂ）は要部の分離断面図、（Ｃ）は（Ｂ）のＣ−Ｃ視断ず、（Ｄ）は別図である。
【図４】（Ａ）は第２実施形態の正面図、（Ｂ）は第３実施形態の正面図である。
【図５】第４実施形態を示す側断面図である。
【図６】（Ａ）は第５実施形態を示す正面図、（Ａ）は第６実施形態を示す正面図、（Ａ）は第７実施形態を示す正面図、（Ａ）は第８実施形態を示す正面図である。
【図７】第９実施形態を示す正面図である。
【発明を実施するための形態】
【００２１】
次に、本願発明の実施形態を図面に基づいて説明する。図１のとおり、建物は壁Ｗと天井スラブＳとを有しており、天井スラブＳの下方に、本願発明の実施形態品である天井パネル１を多数枚配置して天井が構成されている。
【００２２】
天井パネル１は帯状のパネル本体２の群を有しており、６枚のパネル本体２で１つの天井パネル１（或いはパネルユニット）が構成されている。天井パネル１も細長い矩形（長方形）になっており、この天井パネル１の多数枚を縦横に整列して敷設して天井が構成されている。パネル本体２はアルミを材料にした押し出し加工で製造されているが、アルミ板等の金属板を材料にした板金加工品なども採用可能である。
【００２３】
敢えて述べるまでもないが、天井パネル１は１枚のパネル本体２で構成してもよいし、複数枚のパネル本体２を有する場合、その枚数は任意に設定できる。また、パネル本体２が単一である場合も複数枚で構成されている場合でも、平面視形状は任意に設定することができ。例えば正方形とすることも可能である。
【００２４】
本願発明の天井パネル１は空調機能を有しており、図１に平行斜線で示すように、１枚のパネル本体２にその長手方向全長にわたって延びるライン型照明部３を形成している。以下、図２以下の図面を参照して詳細を説明する。以下の説明では便宜的に前後や左右の方向を使用するが、これは、図２に表示するように、天井パネル１の長手方向を前後方向として短手方向（幅方向）を左右方向としている。正面視は前後方向から見た状態である。
【００２５】
(1).第１の天井パネル
既述のとおり、天井パネル１パイプ６枚のパネル本体２を備えているが、パネル本体２は、図３のとおり、基本的には平板状で、上面のうち少し一端部２ａに寄った部位に略半円状のパイプ保持部４を一体に形成し、これに熱交換流体（例えば水）が通るパイプ５を嵌め込でいる。パイプ保持部４は僅かながらくびれており、このため、パイプ５を強制的に嵌め込むと簡単には抜けない状態に保持される。
【００２６】
パネル本体２の一端部２ａと他端の近傍とには、係合手段の一例として、上向きの係合リブ６を一体に形成している。パネル本体２の一端部２ａはパネル本体２の板厚分だけ段上がりしており、左右に隣り合ったパネル本体２の一端部２ａが他端部２ｂに載って、各パネル本体２の基部の下面が同一面を成すように設定している。隣り合ったパネル本体２の一端部２ａが他端部２ｂに載るので、他方の係合リブ６は他端部２ｂから少し内側にずらしている。
【００２７】
そして、各係合リブ６の状態には鉤状の爪が形成されており、６枚のパネル本体２に左右方向に長い横桟７を重ねて、横桟７で６枚のパネル本体２を連結することで天井パネル１と成している。横桟７は側断面下向き開口コの字型（チャンネル型）の形態であり、係合手段の一例として、前後の側板７ａに係合爪部８を切欠き形成し、係合爪部８を係合リブ６の爪に上から押し込んで係合させている。また、パイプ５も横桟７で押えられている。横桟は前後３カ所に配置しているが、少なくとも２カ所あったら足りる。横桟７は、梁材等の建物の構造材にボルトや金具等のジョイント手段で吊支されている。
【００２８】
１枚の天井パネル１には１本のパイプ５が配置されており、パイプ５は、平面視でジグザグ状に曲がることにより、各パネル本体２の上面に前後長手の直線部を有している。前後方向又は左右方向に隣り合ったパイプ５は図示しない継手で接続される。
【００２９】
パネル本体２のうちパイプ保持部４と他端部２ｂとの間には、コの字形の下向き開口溝９が全長に亙って形成されており、また、パネル本体２の他端部２ｂとパイプ保持部４の真下とそれより一端部２ａ寄りの３カ所には、放熱リブ１０が形成されている。放熱リブ１０は下端に左右のリップを有して逆Ｔ形になっているが、リップを備えないＩ形であってもよい。
【００３０】
下向き開口溝９はパイプ保持部４と略同じ程度の溝幅を有しており、この下向き開口溝９に照明ユニット１２を取り付けることで、天井パネル１に照明部３を形成することができる。図１ではパネル本体２の群のうち中央を挟んだ片側のパネル本体２に照明部３を設けているが、図３では、パネル本体２の群のうち最も端に位置したパネル本体２に照明ユニット１２を装着している。これは作図上の便宜的な表示である。どのパネル本体２に照明部３を設けるかは、任意に選択できる。
【００３１】
照明ユニット１２は、発光素子の一例のＬＥＤ１３が前後方向に飛び飛びで配置された基板１４と、下向き開口溝９に下方から嵌め入れられた上向き開口コの字形の透光カバー１５とで構成されている。透光カバー１５を構成する左右側板１５ａの上端には、基板１４の保持手段の一例として、基板１４が載る内向きフランジ（或いは段部）１６を形成しており、基板１４は、予め透光カバー１５にセットされている。基板１４を透光カバー１５に接着剤で接着しておくことも可能である。
【００３２】
下向き開口溝９の左右内側面の上下中途部には、係合部の一例としての係合溝１７が形成されている一方、透光カバー１５の左右両外側面には、同じく係合部の一例として、係合溝１７に嵌合する係合突起１８が形成されている。従って、基板１４がセットされた透光カバー１５を下向き開口溝９にその弾性に抗して押し込むことにより、照明ユニット１２がパネル本体２に取り付けられる。係合突起１８が係合溝１７に嵌まった状態で、基板１４を少し下方から押すように設定しておくと、基板１４がパネル本体２に密着した状態に保持される利点がある。
【００３３】
透光カバー１５の下端はパネル本体２の基部から下向き素に突出しており、その下端は放熱リブ１０の下端と略同じ高さになっている。もとより、図３（Ｄ）に示すように、透光カバー１５の下端をパネル本体２の基部の下面と略同じ面に揃えたり、一点鎖線のように下向き凸の円弧状（半円状）に形成したりすることも可能である。下向きに突出させる場合は、台形状としてもよい。
【００３４】
(2).まとめ
基板１４に多数のＬＥＤ１３が搭載されることでライン状光源が構成されており、このライン状光源により、空間（室内）を的確に照明することができる。そして、照明ユニット１２の大半は下向き開口溝９に嵌まっているため、照明ユニット１２が目立つことはなくて見栄えがよい。本実施形態のように予め基板１４を透光カバー１５にセットしておくと、基板１４を一々下向き開口溝９に取り付ける作業が不要になると共に、パネル本体２への加工も不要になる利点がある。
【００３５】
詳細は省略するが、基板１４にはプラス回路とマイナス回路とが平行に形成されており、両回路に各ＬＥＤ１３が接続されている。プラス回路にはコネクタ付き給電ゲーブルによって直流電流が給電される。マイナス回路はパネル本体２や建物の金属製構造材にアースさせたらよい。基板１４の上面にアース用の接点を設けて、これを下向き開口溝９の上底面に当接させることでアースさせてもよい。
【００３６】
図３（Ａ）のように、透光カバー１５をパネル本体２の基部の下面から下向きに突出させると、図３（Ｄ）のように透光カバー１５をパネル本体２の下面に揃えた場合に比べて光の照射面積が大きくなるため、拡散性が高くなって照明効率を向上できると云える。
【００３７】
なお、光の照射角度はＬＥＤ１３の上下位置（下向き開口溝９の深さ）によって定まる。この場合、空調用の熱がパネル本体２の上に逃げることを抑制するには、下向き開口溝９の深さはできるだけ小さいほうが良く、すると、照射角度も大きくできる。透光カバー１５は一般には乳白色が好ましいが、チタン又はその合金の微粉のような拡散剤を混入したり、内面に微細な鋸歯状凹凸を形成したりして拡散性を高めるのは好ましいことである。拡散性を向上させるため内面に蛍光剤を塗布したり、照度を高めるため基板１４の下面に反射テープを貼ったりすることも可能である。
【００３８】
１つの照明ユニット１２の前部のパネル本体２に照明ユニット１２を取り付けたり、複数枚のパネル本体２に照明ユニット１２を取り付けたりすることも可能である。また、１枚のパネル本体２に複数の下向き開口溝９を形成して、これらにそれぞれ照明ユニット１２を装着することも可能である。
【００３９】
(3).第２，３実施形態
次に、他の実施形態を説明する。図４（Ａ）に示す第３実施形態では、第１実施形態の放熱リブ１０に代えてパネル本体２には下向き凸の半円状凹部２０を形成しおり、かつ、パイプ保持部４も下向き突出しさせて半円状凹部２０と高さを揃えている。
【００４０】
また、照明ユニット１２は基本的には第１実施形態と同じであるが、透光カバー１５のうちパネル本体２から下向きにはみ出た部分を半円状凹部２０及びパイプ保持部４と略同じ大きさの円弧形状に形成している。このため、パネル本体２の下面の突起が揃って見栄えがよい。
【００４１】
１枚の天井パネル１に照明部３として使用していない下向き開口溝９が存在し、また、照明部３を設けていない天井パネル１が存在する場合、照明部として使用していない下向き開口溝９にダミーのカバーを装着して見栄えを良くすることも可能である。この場合、ダミーのカバーをアルミ板で製造すると、伝熱性能に優れるため好適である（これらは他の実施形態も同様である。）。
【００４２】
図４（Ｂ）に示す第３実施形態では、パネル本体２は第１実施形態に似ているが、下向き開口溝９が下広がり台形状になっていて片面がパイプ受け部４に繋がった状態になっている。また、この実施形態では、基板１４は下向き開口溝９の上底面にビス止めや両面粘着テープ等で固定し、透光カバー１５は、下向き開口溝９を挟んで左右に設けた放熱リブ１０を利用して取り付けている。
【００４３】
従って、この実施形態では、２本の間の空間も下向き開口溝９の一部を構成している。この実施形態では、広い照射角度を確保できる利点がある。この実施形態では、透光カバー１５が取り付く放熱リブ１０における片側のリップは無くして、係合部として凹溝１７と突条１８を採用しているが、透光カバー１５が取り付く放熱リブ１０も左右のリップを有する形態として、下端のリップを利用して透光カバー１５を取り付けることも可能である。
【００４４】
(4).第４〜１０実施形態
図５に示す第４実施形態では、前後方向に隣り合った基板１４の相互間の配線態様の一例を示しており、実施形態では、隣り合った基板１４の電源端子部２１を互いにケーブル２１及びコネクタ２２で接続することで、直列に並んだ基板１４に単一の電源から電力を供給している。
【００４５】
また、この実施形態では、基板１４はドリルねじ等のビス２３でパネル本体２に固定しているが、ビス２３の頭（座金）でマイナス回路２４を押さえることで、ビス２３を介して電流をパネル本体２にアースさせている。隣り合った基板１４のマイナス回路２４をケーブルとコネクタとで接続することも可能である。
【００４６】
隣り合った基板１４を直列に接続することに代えて、一点鎖線で示すように、パネル本体２の上に配置した電源線２５からコネクタ２２を介して給電することも可能である。なお、隣り合った基板１４をコネクタ２２で接続する場合、コネクタ２２はできるだけ下向き開口溝９の上部に配置しておくのが好ましい。パネル本体２には電源線２５を通す穴又は切欠きが必要であるが、穴や切欠きは透光カバー１５で覆われていて下方から見えないので、特段の問題はない。
【００４７】
図６（Ａ）に示す第６実施形態では、パネル本体２の下面に放熱リブ１０を適宜間隔で突設することで下向き開口溝９を形成した構成において、隣り合った放熱リブ１０の間に下向き開口コの字形の基板保持ホルダー板２６を下方から嵌め込み装着して、更に、隣り合った放熱リブ１０のリップ１０ａを利用して、これに爪２７を嵌め込むことで透光カバー１５を取り付けている。従って、この実施形態では、放熱リブ１０のリップ１０ａが係合部の一環を成している。
【００４８】
図６（Ｂ）に示す第７実施形態では、パネル本体２の下面にパネル本体２を適宜間隔で突設した構成において、隣り合った放熱リブ１０の間に下向き開口溝形の反射体２７を装着して、反射体２７６における左足部の下端に正面視傾斜姿勢で基板１４を装着している。ＬＥＤ１３の光は斜め上向きの傾斜姿勢で反射体に照射される。
【００４９】
反射体２７の上面図は下向き凹状に湾曲している。このため、左右のＬＥＤ１３から照射された光は反射体２７に藩主した下方の空間（室内）に照射される。従って、この実施形態は間接照明になっている。一点鎖線で示すように、放熱リブ１０のリップ１０ａを利用して透光カバー１５を取り付けることも可能である。
【００５０】
上記の各実施形態は透光カバー１５はパネル本体２に係合させていたが、図６（Ｃ）に示す第８実施形態では、下向き開口溝９の上底面に基板保持板２９をビス２３で固定し、基板保持板２９に透光カバー１５を取り付けている。具体的には、基板保持板２９に外向き鉤状の係合爪３０を下向き突設し、透光カバー１５の上端に設けた内向き鉤状の係合爪３１を係合させている。両爪３０，３１は係合部の一例である。
【００５１】
図６（Ｄ）に示す第９実施形態では、基板保持板２９と透光カバー１５とをそれぞれパネル本体２に別々に取り付けている。下向き開口溝９の上端部には、内向き突条３２を設けてその上の部分を基板保持板２９の左右側縁が嵌まる係合溝１７と成している。透光カバー１５の係合構造は第１実施形態と同じである。基板１４がある程度の剛性を有する場合は、基板保持板２９を使用せずに基板１４を係合溝１７に直接嵌め込むことも可能である。この場合は、構造はより一層簡単になる。
【００５２】
図７に示す第１０実施形態は、パネル本体２の下面がフラットになっている天井パネル１に適用している。この実施形態では、基板保持板２９をビス２３でパネル本体２の下面に固定し、基板保持板２９に透光カバー１５を取り付けている。具体的な係合構造は図６（Ｃ）の第８実施形態と同じである。
【００５３】
この実施形態では、１類の基板１４にＬＥＤ１３を２列発配置している。他の実施形態においてもＬＥＤ１３を複数列配置することは可能である。なお、本実施形態においても他の実施形態においても、パイプ受け部４をパネル本体２とは別部材とすることも可能である。
【００５４】
(5).その他
本願発明は、上記の実施形態の他にも様々に具体化できる。例えば、適用対象は必ずしも空調用放射パネルには限らないのであり、単なる天井板にも適用できる。この場合、放熱性やアースの点、或いは不燃性の点からは金属製であるのが好ましい。
【００５５】
基板及び透光カバーはパネル本体の全長にわたって延びる長さである必要はないのであり、それぞれ複数本に分割して継ぎ足し方式とすることも可能である。或いは、透光カバーを隣り合った複数本のパネル本体に跨がった状態で嵌まる長い長さとすることも可能である。
【００５６】
透光カバーとパネル本体２又は基板保持板との係合関係は、いったん取り付けたら基本的には取り外しできない嵌め殺し方式としてもよいし、ある程度の力を掛けて下向き開口溝と反対側に引っ張ると離脱可能な着脱方式とすることも可能である。空調用天井パネルに適用する場合、パイプはパネル本体の下面に配置してもよい。
【産業上の利用可能性】
【００５７】
本願発明は、放射パネル等のパネル本体に実際に適用できる。従って、産業上利用できる。
【符号の説明】
【００５８】
１  天井パネル
２  パネル本体
３  照明部
４  パイプ保持部
５  空調用パイプ
７  横桟
９  下向き開口溝
１０  放熱リブ
１２  照明ユニット
１３  発光素子の一例としてのＬＥＤ
１４  ライン状光源を構成する基板
１５  透光カバー
１７  係合部の一例としての係合溝
１８  係合部の一例としての係合突起
【図１】
2015021645.tif 000003
【図２】
2015021645.tif 000004
【図３】
2015021645.tif 000005
【図４】
2015021645.tif 000006
【図５】
2015021645.tif 000007
【図６】
2015021645.tif 000008
【図７】
2015021645.tif 000009